(57)【特許請求の範囲】
【請求項１】
一対の親骨と、一対の親骨間に配置された複数本の仲骨と、親骨及び仲骨の基端部に貫通して取り付けた要と、親骨及び仲骨に蛇腹状の地紙を取り付けた扇面とを備える扇子であって、当該扇子のサイズは、扇面を折り畳んで閉じた状態にて、親骨の長さ方向の長さが封筒の定形郵便物の縦サイズよりも短く、折り畳まれた扇面の最大幅が封筒の定形郵便物の横サイズよりも短く、一対の親骨間の最大長さが封筒の定形郵便物の厚さサイズよりも短く形成されて、封筒の定形郵便物の縦、横、及び厚さの規定サイズ以内に収まる大きさに構成される扇子と、
定形郵便物の封筒の内径より一回り小さいサイズであって当該封筒と相似形状を有し、扇面を折り畳んで閉じた状態の前記扇子を差し込んだ状態で固定させる切込みが設けられている台紙と、を備え、
前記扇子、前記台紙及び前記封筒の総重量は、封筒の定形郵便物の最安郵便料金となる重さ以内に収められ、
前記台紙は、見開き可能な一枚物の左右の紙片を二つ折りにして構成され、
一方の紙片には、前記扇子の閉じた状態における扇面部分を差し込んで固定させる切込みと、前記扇子の閉じた状態における扇面部分から延びる親骨部分を差し込んで固定させる切込みとが設けられ、
他方の紙片には、台形形状を有し左右に折り曲げて扇面を開いた状態の前記扇子を立てかける扇子立てとして切り取り可能な切り取り線が設けられている、
定形郵便で送れる扇子セット。
【発明の詳細な説明】
【技術分野】
【０００１】
本発明は、定形郵便で送ることができる扇子セットに関する。
【背景技術】
【０００２】
扇子は、要で留められた親骨と仲骨とに地紙（扇面）が貼られ、扇面を折り畳み可能に構成したものである。扇子は、通常、扇面を開いた状態で体に向けて扇いで涼をとるために使用され、不使用時には扇面を折り畳んで携帯可能とされる。また、扇面には、様々なデザイン、文字などが施されて意匠性に富むものや、また広告などを施して企業やイベントなどの広告媒体とされる場合もある。
【先行技術文献】
【特許文献】
【０００３】
【特許文献１】実用新案登録第３０８０１０９号公報
【発明の概要】
【発明が解決しようとする課題】
【０００４】
ところで、扇子は、記念品、暑中見舞い、広告媒体等にも利用され、贈り物として郵送したい場合がある。従来の扇子は、封筒に入れて郵送する場合、扇面を折り畳んで閉じた状態にしても嵩張ってしまうため、定形郵便物のサイズ・重さ（縦横２３５ｍｍ×１２０ｍｍ以内、厚さ１０ｍｍ以内、重さ２５ｇ以内「最低の郵便料金８２円」）以内、とりわけ厚さや重さがその範囲内に収まらず、定形郵便物として送ることができなかった。また、内容物が不定形の場合は封筒内で移動しないように固定させる必要があり、扇子は、折り畳んだ状態でも細長く嵩張るため簡易に固定させることも難かった。
【０００５】
本発明は、以上の事情に鑑みてなされたものであり、定形郵便物として安価に送ることができる扇子セットを提供することを目的とする。
【課題を解決するための手段】
【０００６】
本発明に係る扇子セットは、
一対の親骨と、一対の親骨間に配置された複数本の仲骨と、親骨及び仲骨の基端部に貫通して取り付けた要と、親骨及び仲骨に蛇腹状の地紙を取り付けた扇面とを備える扇子であって、当該扇子のサイズは、扇面を折り畳んで閉じた状態にて、親骨の長さ方向の長さが封筒の定形郵便物の縦サイズよりも短く、折り畳まれた扇面の最大幅が封筒の定形郵便物の横サイズよりも短く、一対の親骨間の最大長さが封筒の定形郵便物の厚さサイズよりも短く形成されて、封筒の定形郵便物の縦、横、及び厚さの規定サイズ以内に収まる大きさに構成される扇子と、
定形郵便物の封筒の内径より一回り小さいサイズであって当該封筒と相似形状を有し、扇面を折り畳んで閉じた状態の前記扇子を差し込んだ状態で固定させる切込みが設けられている台紙と、を備え、
前記扇子、前記台紙及び前記封筒の総重量は、封筒の定形郵便物の最安郵便料金となる重さ以内に収められ、
前記台紙は、見開き可能な一枚物の左右の紙片を二つ折りにして構成され、
一方の紙片には、前記扇子の閉じた状態における扇面部分を差し込んで固定させる切込みと、前記扇子の閉じた状態における扇面部分から延びる親骨部分を差し込んで固定させる切込みとが設けられ、
他方の紙片には、台形形状を有し左右に折り曲げて扇面を開いた状態の前記扇子を立てかける扇子立てとして切り取り可能な切り取り線が設けられているものである。
【発明の効果】
【０００７】
本発明によれば、扇面を折り畳んだ閉じた状態で小さくコンパクトに構成され、とりわけ薄く軽い構成が実現されるので、定形郵便物として安価に送ることができる。
【図面の簡単な説明】
【０００８】
【図１】実施形態の扇子セットを示す正面図である。
【図２】扇子の構成を示す図であり、同図（ａ）は扇面を開いた状態の正面図、同図（ｂ）は扇面を閉じた状態の正面図、同図（ｃ）は扇面を閉じた状態の側面図である。
【図３】台紙の展開状態を示す正面図である。
【図４】台紙から取り出した扇子立てを示す模式図である。
【発明を実施するための形態】
【０００９】
以下に、本発明の実施形態について図面を参照しながら説明する。
図１にしめす扇子セット１は、扇子２と、扇子２を固定するための長方形状の台紙３と、扇子２を台紙３に固定して収容する定形郵便物サイズの封筒４とを備え、定形郵便物として送れる大きさ及び重さとするものである。つまり、扇子２（閉じた状態）、台紙３、封筒４のそれぞれのサイズは、封筒の定形郵便物の規定サイズ（縦２３５ｍｍ、横１２０ｍｍ、厚さ１０ｍｍ）以内の大きさに形成されており、また、扇子２、台紙３、封筒４の総重量は、封筒の定形郵便物の最安郵便料金となる重さ２５ｇ以内に収められている。
【００１０】
扇子２は、一対の親骨２１と、一対の親骨２１間に配置された複数本の仲骨２２と、親骨２１及び仲骨２２の基端部に貫通して取り付けた要２３と、親骨２１及び仲骨２２に地紙を取り付けた蛇腹状の扇面２４とを備え、親骨２１及び仲骨２２をスライドさせて扇面２４を開いた状態と扇面２４を折り畳んで閉じた状態とすることができるものである。
【００１１】
扇子２の親骨２１及び仲骨２２は、竹等の木製、プラスチック製等とすることができ、また、扇面２４の地紙は、和紙等の紙製、プラスチックシート等とすることができる。本実施形態の扇子２では、親骨２１及び仲骨２２は竹製とし、扇面２４の地紙は紙製とし、昔ながらの伝統的な扇子２である。なお、扇面２４は、様々なデザインや文字等を施すことができ、例えば、扇面２４の表面には、季節の絵柄等のデザインを施し、扇面２４の裏面は、メッセージスペース、広告スペース等に利用することができる。親骨２１の外面にも、様々なデザインや文字等を施すことができる。
【００１２】
そして、扇子２は、扇面２４を閉じた状態で、封筒４の定形郵便物の規定サイズ（縦２３５ｍｍ、横１２０ｍｍ、厚さ１０ｍｍ）以内の大きさに形成されている。具体的に、本実施形態の扇子２は、長さ（親骨２１の長さ方向）が２１５ｍｍ、横幅（折り畳んだ扇面２４の最大幅）が４６ｍｍ、厚さ（一対の親骨２１間の最大長さ）が８ｍｍに形成されている。なお、両側の要２３の間の長さも８ｍｍとされる。また、扇子２の重さは９ｇと軽く形成されており、この扇子２と台紙３及び封筒４とを含めた総重量が封筒による定形郵便物の最低郵便料金となる重さ２５ｇ以内に収めることができる。特に、本実施形態の扇子２では、仲骨２２の本数を２本と少なくするとともに親骨２１及び仲骨２２の厚さを強度を損なわない程度に薄く形成することにより、薄く軽い構造を可能としている。また、一対の親骨２１は、先端部２１ａ側が互いに接近する方向に緩やかに湾曲形成されており、これにより、扇面２４を閉じた状態にて折り畳まれた扇面２４の膨らみを抑え、扇子２の前記厚さが厚くならないようにしている。
【００１３】
このように、扇子２は、竹骨紙貼りの本格的な扇子２でありながら薄くて軽い構造であって封筒の定形郵便物として最低郵便料金で送れることを可能としたものである。
【００１４】
台紙３は、見開き可能な矩形形状の一枚物の厚紙をその左右の紙片３１，３２を二つ折りにして封筒４に入れられるように構成したものである。
一方の紙片３１には、扇子２の閉じた状態における扇面２４部分を差し込んで固定させる平行な２ヶ所の切込み３３ａ，３３ａが略中間に設けられ、また、扇子２の閉じた状態における扇面２４部分から延びる親骨２１部分を差し込んで固定させる１ヶ所の切込み３３ｂが下端部側に前記切込み３３ａ，３３ａと平行に設けられている。各切込み３３ａ，３３ｂは、両端に破れ防止となるように弧状３４に切り込まれている。
他方の紙片３２には、台形形状の扇子立て３５を切り取り可能なミシン目等の切り取り線３６が側端から略全体的に設けられている。扇子立て３５用の切り取り線３６部分は、台形の上辺の両側に扇子立て３５として使用する際に扇子２の親骨２１部分を嵌め込むための凹み形状３７となるように切込み形成され、また、台形を左右に二等分する中央線に折筋３８が形成されている。従って、この他方の紙片３２から台形形状の扇子立て３５をちぎり取って、この扇子立て３５を折筋３８で左右に折り曲げると、扇面２４を開いた開き状態の扇子２を立てかけて飾ることができる。
【００１５】
そして、この台紙３のサイズは、見開いた状態では縦２２５ｍｍ、横２１０ｍｍであるが、二つ折りにすると縦２２５ｍｍ、横１０５ｍｍとなり、定形郵便物の封筒４の内径より一回り小さいサイズとなる。また、台紙３を構成する厚紙の厚さは０．５ｍｍ程度で二つ折りにしても１ｍｍ以下である。よって、この二つ折り状態の台紙３は、封筒の定形郵便物の規定サイズ（縦２３５ｍｍ、横１２０ｍｍ、厚さ１０ｍｍ）以内の大きさに形成される。また、台紙３の重量は、１ｇ程度である。
なお、台紙３は、扇子立て３５を形成する他方の紙片３２を設けず、扇子２を固定させる一方の紙片３１のみで構成するようにしてもよい。
【００１６】
封筒４は、長方形の袋状であって、縦横サイズは定形郵便物の規定サイズ（縦２３５ｍｍ、横１２０ｍｍ）と同等又は小さい大きさであり、厚さは１ｍｍ以下、重さは１ｇ程度である。
【００１７】
以上の扇子セット１は、扇子２を閉じた状態にして台紙３に固定させて封筒４に入れたものとして構成される。そして、この扇子セット１は、封筒の定形郵便物の規定サイズ（縦２３５ｍｍ、横１２０ｍｍ、厚さ１０ｍｍ）以内の大きさに形成され、総重量が封筒の定形郵便物の最安郵便料金（８２円）となる重さ（２５ｇ）以内に収められているので、定形郵便物として安価に送ることができる。
【符号の説明】
【００１８】
１  扇子セット
２  扇子
３  台紙
４  封筒
２１  親骨
２２  仲骨
２３  要
２４  扇面
３１，３２  紙片
３３ａ  切込み
３３ｂ  切込み
３４  弧状
３５  扇子立て
３６  切り取り線
３７  凹み形状
３８  折筋
【図１】
0006712470.tif 000002
【図２】
0006712470.tif 000003
【図３】
0006712470.tif 000004
【図４】
0006712470.tif 000005